(57)【特許請求の範囲】
【請求項１】
平面内で回転可能に支持された撮影手段と、
前記撮影手段により撮影された画像に基づき等価光幕輝度を算出し、当該等価光幕輝度に基づいてグレアの値を算出する処理手段と、を備え、
前記撮影手段は、レンズが装着され、前記レンズの画角に応じた角度ごとに前記平面内で回転した位置で前記レンズを通じて撮影して平面内全方向を撮影し、
前記処理手段は、
前記平面内に設定されたグレア測定方向を中心とした所定の撮影範囲の画像を、前記撮影手段が撮影した画像のうち、前記グレア測定方向を含む複数の画像のそれぞれに対し、前記グレア測定方向を、前記レンズを通じて撮影した撮影方向として視た画像に変換する処理を施し、それぞれのグレア測定方向を重ねて画像を合成して生成し、
合成して得られた、前記グレア測定方向を中心とした所定の撮影範囲の画像に基づき等価光幕輝度を算出し、
当該等価光幕輝度に基づいて前記グレア測定方向のグレアの値を算出する
ことを特徴とするグレア測定システム。
【請求項２】
前記撮影手段は、前記レンズの画角に起因して撮影方向の垂直方向に生じる欠損領域が撮影範囲に含まれるように水平面に対し俯角方向、及び仰角方向に傾けられた各々の状態で３６０度の全周囲に亘って撮影し、
前記処理手段は、
前記平面内に設定されたグレア測定方向を中心とした所定の撮影範囲の画像を、前記俯角方向に傾けて撮影した画像、前記仰角方向に傾けて撮影した画像、及び前記平面内で回転して撮影した画像を合成して生成する、
ことを特徴とする請求項１に記載のグレア測定システム。
【請求項３】
前記レンズは広角レンズである、ことを特徴とする請求項１に記載のグレア測定システム。
【請求項４】
前記処理手段は、前記平面内全方向のグレアの値を所定角度ごとに順次に算出することを特徴とする請求項１〜３のいずれかに記載のグレア測定システム。
【請求項５】
前記処理手段は、スポーツ照明のグレア評価に用いられるグレアレイティング、道路照明のグレア評価に用いられる減能グレア、及び不快グレアの少なくとも１つを前記グレアの値として算出することを特徴とする請求項１〜４のいずれかに記載のグレア測定システム。
【発明の詳細な説明】
【技術分野】
【０００１】
本発明は、グレアの測定技術に係り、特に広範囲な照明範囲のグレアを好適に測定する技術に関する。
【背景技術】
【０００２】
運動場や競技場等の屋外スポーツ施設のグレア評価について、例えばＪＩＳ  Ｚ９１１０（ＪＩＳ：日本工業規格）では、指標値としてグレアの程度を０〜１００の間で数値化したグレアレイティングが用いられており、このグレアレイティングの基準値が屋外スポーツ施設に設定されている。グレアレイティングの基準値は、屋外スポーツ施設の観測点を中心とし、競技者の視線の高さにおける水平全方向のグレアレイティングのうちの最大値を規定することで、まぶしさが競技者の障害とならないようにしたものである。したがって、グレア評価の際には、作業者は観測点を中心に水平面内で視線方向（測定方向）を種々に変えながらグレアレイティングの測定を繰り返し行い、これらのグレアレイティングの測定値の最大値と基準値を比較することでグレア評価を行っている。
【０００３】
グレアレイティングの測定は、一般に、グレアレンズと称される特殊な光学特性のレンズを輝度計に装着して等価光幕輝度を測定し、この等価光幕輝度に基づき所定の算出式を用いてグレアレイティングを算出することで行われる。しかしながら、精度の良いグレアレンズは非常に高価であることから、近年では、撮影カメラで撮影した画像の輝度分布に基づき、画像処理により等価光幕輝度を求める技術が提案されている（例えば、特許文献１、特許文献２参照）。
【先行技術文献】
【特許文献】
【０００４】
【特許文献１】特開２００４−０８７２１５号公報
【特許文献２】特開２００８−２４１３８０号公報
【発明の概要】
【発明が解決しようとする課題】
【０００５】
しかしながら、上述の通り、屋外スポーツ施設のグレア評価においては、水平全方向についてグレアレイティングを測定する必要がある。したがって、撮影カメラで撮影した画像に基づいてグレアレイティングを求める場合には、各方向に向けて撮影カメラを設置する必要があり、撮影カメラの台数が増えコスト高の要因となる。
【０００６】
本発明は、上述した事情に鑑みてなされたものであり、低コストにグレア評価に要するグレアを測定できるグレア測定システムを提供することを目的とする。
【課題を解決するための手段】
【０００７】
上記目的を達成するために、本発明は、平面内で回転可能に支持された撮影手段と、前記撮影手段により撮影された画像に基づき等価光幕輝度を算出し、当該等価光幕輝度に基づいてグレアの値を算出する処理手段と、を備え、前記撮影手段は、レンズが装着され、前記レンズの画角に応じた角度ごとに前記平面内で回転した位置で前記レンズを通じて撮影して平面内全方向を撮影し、前記処理手段は、前記平面内に設定されたグレア測定方向を中心とした所定の撮影範囲の画像を、前記撮影手段が撮影した画像のうち、前記グレア測定方向を含む複数の画像のそれぞれに対し、前記グレア測定方向を、前記レンズを通じて撮影した撮影方向として視た画像に変換する処理を施し、それぞれのグレア測定方向を重ねて画像を合成して生成し、合成して得られた、前記グレア測定方向を中心とした所定の撮影範囲の画像に基づき等価光幕輝度を算出し、当該等価光幕輝度に基づいて前記グレア測定方向のグレアの値を算出することを特徴とする。
前記撮影手段は、前記レンズの画角に起因して撮影方向の垂直方向に生じる欠損領域が撮影範囲に含まれるように水平面に対し俯角方向、及び仰角方向に傾けられた各々の状態で３６０度の全周囲に亘って撮影し、前記処理手段は、前記平面内に設定されたグレア測定方向を中心とした所定の撮影範囲の画像を、前記俯角方向に傾けて撮影した画像、前記仰角方向に傾けて撮影した画像、及び前記平面内で回転して撮影した画像を合成して生成してもよい。
前記レンズは広角レンズでもよい。
【０００８】
また本発明は、上記グレア測定システムにおいて、前記処理手段は、前記平面内全方向のグレアの値を所定角度ごとに順次に算出することを特徴とする。
【０００９】
また本発明は、上記グレア測定システムにおいて、前記処理手段は、スポーツ照明のグレア評価に用いられるグレアレイティング、道路照明のグレア評価に用いられる減能グレア、及び不快グレアの少なくとも１つを前記グレアの値として算出することを特徴とする。
【発明の効果】
【００１０】
本発明によれば、撮影手段には広角レンズが装着され、広角レンズの画角に応じた角度ごとに平面内で回転した位置で広角レンズを通じて撮影して平面内全方向を撮影する構成であるため、画角が狭い通常のレンズを通じて撮影した場合に比べて撮影画像の枚数を少なくでき、処理の低減化が図られる。また、１台の撮影カメラで平面内全方向を撮影するため、コストが抑えられる。
また、処理手段は、測定対象空間におけるグレア測定方向を中心とした画像を撮影手段が撮影した画像を合成して生成し、当該画像に基づき等価光幕輝度を算出し、当該等価光幕輝度に基づいてグレア測定方向のグレアを算出する構成であるため、測定対象空間においてグレア測定方向を任意に設定し、その方向のグレアレイティングが簡単に求められる。このとき撮影された画像の画角が広いことから、画像を合成する際の画像枚数が抑えられ、処理の更なる低減化が図られる。
【図面の簡単な説明】
【００１１】
【図１】本発明の実施形態に係るグレア測定システムの機能的構成を模式的に示す図である。
【図２】グレア評価対象の野球場の模式図である。
【図３】撮影画像の視線軸変換、及び画像合成の説明図である。
【図４】グレア測定システムの動作を示すフローチャートである。
【図５】撮影画像の視線軸変換処理、及び画像合成処理の一例を示す図である。
【図６】本発明の撮影動作の変形例を示す図である。
【発明を実施するための形態】
【００１２】
以下、図面を参照して本発明の実施形態について説明する。
この実施形態では、スポーツ競技場の一例たる野球場のスポーツ照明におけるグレア評価を例に説明する。
図１は本実施形態に係るグレア測定システム１の機能的構成を模式的に示す図であり、図２はグレア評価対象の野球場の模式図である。
グレア測定システム１は、同図に示すように、１台の撮影カメラ２と、処理装置４とを備えている。
撮影カメラ２は、図２に示すように、野球場ＦのグラウンドＪ内の観測点Ｐにおいて、例えば三脚等の支持材６によってグラウンドＪの地面Ｊａから所定の高さＨの位置に配置され、撮影カメラ２が指向する方向を撮影して撮影画像７（図１）を生成する。高さＨは、一般的にはグラウンドＪを使用する主体たる競技者の視線の高さである。
野球場Ｆは、グラウンドＪの周囲に配置された複数の照明器具８によって多方向から照明されることから、グレア評価においても、グラウンドＪ内の複数の箇所に観測点Ｐを点在して設定さ、それぞれの観測点Ｐでグレア評価が行われる。
処理装置４は、撮影カメラ２の撮影画像７に基づいて、観測点Ｐにおける水平全方向のグレアレイティングＧＲの値を求める装置であり、作業者は、このグレアレイティングＧＲの値と、野球場Ｆに予め設定された基準値とを対比することで、野球場Ｆの観測点Ｐにおけるグレアを評価する。
【００１３】
ここで、観測点Ｐにおける水平全方向のグレアレイティングＧＲの値の測定は、最も単純には、撮影方向が互いに異なる複数の撮影カメラを観測点Ｐに配置する構成が考えられる。しかしながら、複数の撮影カメラを観測点Ｐに配置するとコスト高の要因となる。
そこで、本実施形態では、撮影カメラ２が支持材６に水平面内で３６０度に亘って回転可能に支持され、１台の撮影カメラ２で水平全周囲を撮影可能に構成されている。ただし、単に１台の撮影カメラ２を回転させて全周囲を撮影する構成であると、多数回の撮影を要し、更に撮影画像７も多くなることから画像処理が煩雑になる。そこで、本実施形態では、全周囲の撮影に要する撮影回数、及び撮影画像７の枚数を減らすべく、撮影カメラ２に超広角レンズ１０を装着し、撮影カメラ２は超広角レンズ１０を通じて撮影する構成としている。
【００１４】
超広角レンズ１０は、画角α（図２）が少なくとも１２０度以上、望ましくは１８０度に近いレンズ（本実施形態では１２０度）である。これにより、図２に示すように、観測点Ｐの各々では、撮影カメラ２を画角α（＝１２０度）ずつ水平面内で回転させて撮影を行うことで、水平全周囲の画像が得られる。
なお、超広角レンズ１０に代えて、１８０度、又はそれ以上の画角αを有する、いわゆる全集魚眼レンズを撮影カメラ２に装着して撮影する構成として、撮影回数を更に減らす構成としても良い。
【００１５】
処理装置４は、撮影カメラ２で撮影された全周囲を網羅する複数枚の撮影画像７に基づき、水平全方向のグレアレイティングＧＲの値を順次に求めて出力するために、前掲図１に示すように、画像取得部２０と、画像合成部２２と、グレア算出部２４とを備えている。この処理装置４は、例えばパーソナルコンピュータ等の汎用コンピュータに、上記の各部の機能を実現させるソフトウェアプログラムを実行させることで実施可能である。
画像取得部２０は、撮影カメラ２の撮影画像７を取得し、画像合成部２２に出力する。この画像取得部２０は、例えば撮影カメラ２から有線通信、又は無線通信を通じて画像を取得し、或いは、撮影カメラ２が撮影した画像を記録した記録媒体（例えば光ディスクや半導体メモリ等）を読み取ることで取得する。
【００１６】
画像合成部２２は、グレアレイティングＧＲを算出するグレア測定方向（競技者の視線方向）に応じて撮影画像７を合成し、グレア算出部２４に出力する。グレア算出部２４は、合成された合成画像３０（図５参照）に基づき等価光幕輝度を算出し、この等価光幕輝度に基づきグレア測定方向のグレアレイティングＧＲを算出する。
更に詳述すると、画像処理による等価光幕輝度は、例えば特開２００８−２４１３８０号公報に記載されているように、処理対象の画像の各画素における画像中心を基準とし、この画像中心からの鉛直角、及び一画素あたりの立体角を基に算出できることが知られている。
換言すれば、グレア測定方向の等価光幕輝度を算出するには、当該グレア測定方向を中心とした画像が必要となる。そこで、画像合成部２２は、画角αごとの撮影画像７の幾つかを合成することで、等価光幕輝度算出用の合成画像３０を生成する。
【００１７】
例えば撮影カメラ２の画角αが１２０度である場合、観測点Ｐにおいて水平全方向を撮影すると、図３に示すように、第１撮影画像７Ａ〜第３撮影画像７Ｃの３枚の撮影画像が得られる。ここで、等価光幕輝度算出用の合成画像３０に要求される撮影範囲をβ（≧α：図３の例ではβ＝α）とすると、図３に示すように、グレア測定方向Ｃが第１撮影画像７Ａの範囲内であった場合には、グレア測定方向Ｃを中心とした撮影範囲βの一部を撮影している第１撮影画像７Ａ、及び第２撮影画像７Ｂが合成画像３０の生成のために用いられる。
【００１８】
合成画像３０の生成に際して、これら第１撮影画像７Ａ、及び第２撮影画像７Ｂを単純に繋げて合成しただけでは、合成画像３０の中心がグレア測定方向Ｃと合致せず、また撮影範囲βも異なる。そこで、第１撮影画像７Ａ、及び第２撮影画像７Ｂを合成する際には、合成対象の撮影画像７である第１撮影画像７Ａ、及び第２撮影画像７Ｂのそれぞれに対し、グレア測定方向Ｃを撮影方向として視た画像に変換する、いわゆる視線軸変換処理を施す。これにより、図３に示すように、合成対象の第１撮影画像７Ａ、及び第２撮影画像７Ｂにあっては、グレア測定方向Ｃを中心として、等価光幕輝度算出用の合成画像３０の画角βに対応する範囲Ｍ１、Ｍ２が抽出される。この範囲Ｍ１の第１撮影画像７Ａ、及び範囲Ｍ２の第２撮影画像７Ｂを繋げて合成することで、グレア測定方向Ｃを中心とした画角βの合成画像３０が得られることとなる。
【００１９】
かかる合成画像３０の生成は画像合成部２２によって行われる。すなわち、画像合成部２２は、前掲図１に示すように、グレア測定方向Ｃを決定する測定方向決定部４０と、このグレア測定方向Ｃを中心とした合成画像３０を構成する各撮影画像７に対して上記視線軸変換処理を施す視線軸変換部４２と、視線軸変換処理後の各撮影画像７を繋ぎ合わせて合成し、等価光幕輝度算出用の合成画像３０を得る画像生成部４４とを備えている。本実施形態では、画像合成部２２は、観測点Ｐの水平全方向のグレアレイティングＧＲを測定すべく、グレア測定方向Ｃを観測点Ｐの回りに所定の角度刻みで順次に変化させつつ、各々の角度において、グレア測定方向Ｃを中心とした画角βの合成画像３０を生成し、グレア算出部２４に出力する。
【００２０】
グレア算出部２４は、前掲図１に示すように、等価光幕輝度算出部４６と、グレアレイティング算出部４８とを備えている。等価光幕輝度算出部４６は、画像合成部２２によって合成画像３０が生成されるごとに、合成画像３０の各画素の階調値に基づいて各画素の輝度値を求め、各画素の輝度値からグレア測定方向Ｃにおける等価光幕輝度を算出する。またグレアレイティング算出部４８は、等価光幕輝度に基づきグレアレイティングＧＲを算出して出力する。これらにより、観測点Ｐを中心とした水平全方向のグレアレイティングが測定される。
なお、合成画像３０に基づく等価光幕輝度の算出手法、及び等価光幕輝度に基づくグレアレイティングＧＲの算出手法には、任意の手法を用いることができる。
【００２１】
次いで、野球場Ｆのグレア評価におけるグレア測定システム１の動作について説明する。
図４は、グレア測定システム１の動作を示すフローチャートである。
作業者は、先ずグラウンドＪにおいて、グレアを評価する観測点Ｐに超広角レンズ１０を装着した撮影カメラ２をセットする。そして、撮影カメラ２による撮影（ステップＳ１）と、画角αの撮影カメラ２の回転（ステップＳ２）とを繰り返し行うことで、水平３６０度を網羅するように複数枚の撮影画像７のデータを取得する（ステップＳ３：ＹＥＳ）。これらの撮影画像７が処理装置４に入力されてグレアレイティングＧＲの値が算出される。
【００２２】
すなわち、処理装置４においては、グレアレイティングＧＲを測定するグレア測定方向Ｃが指定されると（ステップＳ４）、このグレア測定方向ＣのグレアレイティングＧＲの計算に必要な合成画像３０の範囲の撮影画像７が読み込まれる（ステップＳ５）。例えば図５に示すように、あるグレア測定方向Ｃについて、このグレア測定方向Ｃを中心とした合成画像３０の生成に必要な撮影画像７が第１撮影画像７Ａ、及び第２撮影画像７Ｂである場合には、これらの画像が読み取られる。次いで、処理装置４が、これらの撮影画像７の各々に対して視線軸変換処理を施すことで（ステップＳ６）、例えば図５に示すように、グレア測定方向Ｃを撮影方向（視線軸）とした画像に変換される。そして処理装置４は、これらの画像を繋ぎ合わせて合成することで（ステップＳ７）、例えば図５に示すように、グレア測定方向Ｃを中心とした合成画像３０が生成される。係るステップＳ５〜Ｓ７の処理は、等価光幕輝度算出用の合成画像３０の範囲βが網羅されるまで（ステップＳ８：ＹＥＳ）、繰り返し行われる。
【００２３】
次いで処理装置４は、合成画像３０に基づいて等価光幕輝度を算出し、この等価光幕輝度に基づいてグレアレイティングＧＲを算出する（ステップＳ９）。処理装置４は、グレア測定方向Ｃを水平方向で所定角度ずつずらしながら、全方向についてグレアレイティングＧＲを求めるまで（ステップＳ１０：ＮＯ）、ステップＳ５〜ステップＳ９の処理を繰り返し行った後、処理を終了する（ステップＳ１０：ＹＥＳ）。
【００２４】
以上説明したように、本実施形態によれば、撮影カメラ２には超広角レンズ１０が装着され、この超広角レンズ１０の画角αに応じた角度ごとに水平面内で回転した位置で超広角レンズ１０を通じて撮影して水平面内全方向を撮影する構成とした。
これにより、画角αが狭い通常のレンズを通じて撮影した場合に比べて撮影画像７の撮影枚数を少なくでき、処理の低減化が図られる。また１台の撮影カメラ２で水平面内全方向を撮影することからコストが抑えられる。
【００２５】
また、処理装置４は、等価光幕輝度算出用の画像として、グレア測定方向Ｃを中心とした合成画像３０を撮影カメラ２の撮影画像７を合成して生成し、当該合成画像３０に基づき等価光幕輝度を算出し、当該等価光幕輝度に基づいてグレア測定方向Ｃのグレアを算出する構成であるため、グレア測定方向Ｃを任意の方向に設定し、その方向のグレアレイティングＧＲの値が簡単に求められる。特に、撮影画像７の画角αが広いことから、画像を合成する際の画像枚数が抑えられ、処理の更なる低減化が図られる。
【００２６】
また本実施形態によれば、処理装置４は、観測点Ｐにおける水平面内全方向のグレアレイティングＧＲの値を所定角度ごとに順次に算出する構成としたため、作業者は、観測点Ｐにおけるグレア評価を簡単、かつ速やかに行うことができる。
【００２７】
上述した実施形態は、あくまでも本発明の一態様を例示するものであって、本発明の趣旨を逸脱しない範囲で任意に変形、及び応用が可能である。
【００２８】
例えば、上述した実施形態では、屋外スポーツ施設を測定対象空間としてグレア評価にグレア測定システム１を用いた場合を例示したが、これに限らず、任意の場所を測定対象空間としたグレア測定に用いることができる。また、グレア測定システム１を用いて水平面内全方向のグレアレイティングＧＲの値を求めるのではなく、ユーザが指定したグレア測定方向ＣについてのみグレアレイティングＧＲの値を求めても良い。
また例えば、上述した実施形態では、撮影手段たる撮影カメラ２と、処理手段たる処理装置４とを別体に備えたグレア測定システム１を例示したが、これらを１体型の装置として構成することもできる。
【００２９】
例えば上述した実施形態では、グレア測定システム１の処理装置４が等価光幕輝度に基づき算出するグレアとしてグレアレイティングＧＲを例示したが、これに限らず、等価光幕輝度から求められる任意のグレアを算出する構成としても良い。
このようなグレアとしては、例えば道路照明のグレア評価に用いられる減能グレアＴＩ、及び不快グレアＧが挙げられる。
詳述すると、減能グレアＴＩ、及び不快グレアＧは、道路照明において、車両運転者の立場からのグレアを評価するものであり、減能グレアＴＩは、平均路面輝度、及び等価光幕輝度と相関があり、これらに基づいて求められることが知られている。また不快グレアＧは、等価光幕輝度の基づき算出されることも知られている。
【００３０】
そこで、撮影カメラ２が路面を撮影することで路面の撮影画像７を取得し、処理装置４が撮影画像７の各画素の階調値を輝度値に変換して平均を求めることで平均路面輝度を算出し、なおかつ撮影画像７の輝度分布に基づき等価光幕輝度を算出し、これら平均路面輝度、及び等価光幕輝度に基づき減能グレアＴＩを算出し、また等価光幕輝度に基づいて不快グレアＧを算出する。なお、平均路面輝度、及び等価光幕輝度から減能グレアＴＩを求める手法、及び等価光幕輝度から不快グレアＧを求める手法については、任意の手法を用いることができる。なお、撮影カメラ２の撮影範囲に存在する輝度物体によって撮影画像７に色飛びが生じる場合には、撮影カメラ２には超広角レンズ１０とともに減光フィルタを装着し、色飛びが抑えられる。
【００３１】
これにより、道路照明のグレア評価に要する減能グレアＴＩ、及び不快グレアＧが撮影画像７から簡単、かつ正確に同時に得られるため、グレアレンズを装着した輝度計が不要となり、低コスト、かつ正確に求められる。
また、従前の測定では、平均路面輝度を測定して減能グレアＴＩを求め、これとは別に等価光幕輝度を別途に測定して不快グレアＧを求めていたため、測定が煩雑であったが、本変形例によれば、減能グレアＴＩ、及び不快グレアＧを同時に求められることから、より短時間で精度の高い測定が可能になる。
さらに、処理装置４は、観測点Ｐの水平全方向の撮影画像７をグレア測定方向Ｃに合わせて視線軸変換処理、及び画像合成処理して当該グレア測定方向Ｃのグレアを得ることができることから、路面の任意方向を車両運転者の視線方向に設定して、この視線方向の減能グレアＴＩ、及び不快グレアＧが簡単に求められる。
なお、道路照明のグレア評価において、グレア測定システム１が減能グレアＴＩ、及び不快グレアＧのいずれか一のみを算出する構成としても良いことは勿論である。
【００３２】
また例えば、上述した実施形態では、撮影カメラ２を水平面内で３６０度回転させる構成とした。この場合、図６に示すように、ＸＹＺ三次元空間のＸＹ平面を水平面とすると、撮影カメラ２の画角αによっては、鉛直方向であるＺ軸方向の一部に撮影されない欠損領域Ｑが生じる。この欠損領域Ｑは撮影カメラ２の画角αが狭くなるほど大きくなり、グレアの値に影響を与える。
そこで、図６に示すように、撮影方向の垂直方向に、撮影カメラ２の画角αに起因して生じる欠損領域Ｑが撮影範囲に含まれるように撮影カメラ２を水平面に対し俯角方向（鉛直下向方向：Ｚ軸負方向）、及び仰角方向（鉛直上向方向：Ｚ軸正方向）に傾けた各々の状態で３６０度の全周囲に亘って撮影し、処理装置４が、それぞれの撮影画像７を合成することで、俯角方向の撮影画像７、及び仰角方向の撮影画像７で欠損領域Ｑを補完した合成画像３０を生成し、この合成画像３０に基づきグレアを算出する構成としても良い。
【００３３】
また上述した実施形態では、撮影カメラ２を水平面内で回転させて周囲を撮影する構成としたが、撮影カメラ２が周囲を撮影するように平面内で回転さえすれば、必ずしも水平面である必要はない。
【符号の説明】
【００３４】
１  グレア測定システム
２  撮影カメラ（撮影手段）
４  処理手段
７  撮影画像
８  照明器具
１０  超広角レンズ（広角レンズ）
２２  画像合成部
２４  グレア算出部
３０  合成画像
４０  測定方向決定部
４２  視線軸変換部
４４  画像生成部
４６  等価光幕輝度算出部
４８  グレアレイティング算出部
Ｃ  グレア測定方向
Ｇ  不快グレア（グレア）
ＧＲ  グレアレイティング（グレア）
Ｐ  観測点
ＴＩ  減能グレア（グレア）
【図１】
0005990981.tif 000002
【図２】
0005990981.tif 000003
【図３】
0005990981.tif 000004
【図４】
0005990981.tif 000005
【図５】
0005990981.tif 000006
【図６】
0005990981.tif 000007